(57)【要約】      （修正有）【課題】外形が円形の雄部材と雌部材を含む止具で、一対のファスナーテープの左右に対向する側縁部に対して容易に取り付けられる止具を提供する。【解決手段】一対のファスナーテープ２ａ，２ａの対向する側縁部に沿って固定された一対のエレメント列の延長方向において一対のファスナーテープを連結する止具４であって、一対のファスナーテープをその厚み方向の両側から挟む雄部材と雌部材であって外形が円形の雄部材と雌部材とを備える。雄部材は、円盤形状の雄基部５１と、雄基部から同心状に突出する挿込雄部５２とを備える。雌部材は、円盤形状の雌基部６１と、雌基部に対して同心状に形成される収容雌部６２とを備える。雄基部と雌基部のうち少なくとも一方の対向面には突部群を備え、突部群は、前記各ファスナーテープに少なくとも接触するように突出する複数の突部を対向面の円周方向の全周に亘って所定角度離れて配置する。【選択図】図２
0003189659.tif 000002
【実用新案登録請求の範囲】
【請求項１】
前後に延長する一対のファスナーテープ（２ａ，２ａ）の左右に対向する側縁部に沿って固定された一対のエレメント列（２ｕ，２ｕ）の延長方向において前記一対のファスナーテープ（２ａ，２ａ）を連結する止具（４）であって、
前記一対のファスナーテープ（２ａ，２ａ）の左右に対向する側縁部をその厚み方向である上下方向の両側から挟む雄部材（５）と雌部材（６）であって外形が円形の前記雄部材（５）と前記雌部材（６）とを備え、
前記雄部材（５）は、円盤形状の雄基部（５１）と、前記雌部材（６）に差し込む為に前記雄基部（５１）から同心状に突出する挿込雄部（５２）とを備え、
前記雌部材（６）は、円盤形状の雌基部（６１）と、前記挿込雄部（５２）の少なくとも一部を収容して連結する為に前記雌基部（６１）に対して同心状に形成される収容雌部（６２）とを備え、
前記雄基部（５１）と前記雌基部（６１）のうち少なくとも一方の対向面には突出する突部群（７）を備え、
前記突部群（７）は、前記各ファスナーテープ（２ａ）に少なくとも接触するように突出する複数の突部（７１）を前記対向面の円周方向の全周に亘って所定角度離れて配置してあることを特徴とする止具。
【請求項２】
前記収容雌部（６２）は、前記雌基部（６１）の中心部に形成されたものであり、
前記挿込雄部（５２）は、前記突部群（７）とは別物であって、前記雄基部（５１）の中心部に形成されると共に、一対の前記芯部（２ｂ，２ｂ）の間に形成される隙間（Ｓ）を貫通した状態で前記収容雌部（６２）に連結され、
前記突部（７１）は、前記対向面において前記挿込雄部（５２）よりも半径方向外側に配置されるものであることを特徴とする請求項１記載の止具。
【請求項３】
左右に対向する側縁部が互いの側方の隣接部（２ｃ,２ｃ）よりも肉厚の厚い芯部（２ｂ，２ｂ）である前記一対のファスナーテープ（２ａ，２ａ）を連結する前記止具（４）であって、
前記突部（７１）は、前記芯部（２ｂ）を窪ませる突出長（Ｌ１）であることを特徴とする請求項２記載の止具。
【請求項４】
前記各芯部（２ｂ，２ｂ）を２か所以上で窪ませるように、前記対向面の円周方向の半周毎の範囲に２つ以上の前記突部（７１）を所定角度離れて配置してあることを特徴とする請求項２又は３記載の止具。
【請求項５】
複数の前記突部（７１）は、前記対向面の円周方向の全周に亘って等角度毎に離れて配置されていることを特徴とする請求項１、２、３又は４記載の止具。
【請求項６】
前記対向面の円周方向の全周に亘って等角度毎に離れて配置されている前記突部（７１）の数量は、８以上で３２以下の正数であることを特徴とする請求項５記載の止具。
【請求項７】
複数の前記突部（７１）は、複数の同心円状に配置されていることを特徴とする請求項２、３、４、５又は６記載の止具。
【請求項８】
前記雄部材（５）と前記雌部材（６）の少なくとも一方の対向面には、その外周縁部の全周に亘って突出すると共に前記一対の芯部（２ｂ，２ｂ）に接触する外リング（８）を備えることを特徴とする請求項２、３、４、５、６又は７記載の止具。
【請求項９】
前記突部群（７）は、前記対向面の半径方向に関して、前記外リング（８）よりも前記挿込雄部（５２）に接近して配置されていることを特徴とする請求項８記載の止具。
【請求項１０】
請求項１〜９のうち何れか１項に記載の止具（４）と、
前後に延長すると共に左右に並べた一対のファスナーテープ（２ａ，２ａ）と、
前記一対のファスナーテープ（２ａ，２ａ）の左右に対向する側縁部に沿って固定された一対のエレメント列（２ｕ，２ｕ）と、
前記一対のエレメント列（２ｕ，２ｕ）に沿って移動すると共に前記一対のエレメント列（２ｕ，２ｕ）を噛合及び分離するスライダー（３）とを備えることを特徴とするスライドファスナー。
【請求項１１】
請求項１〜９のうち何れか１項に記載の止具（４）と、
前後に延長すると共に左右に並べた一対のファスナーテープ（２ａ，２ａ）と、
前記一対のファスナーテープ（２ａ，２ａ）の左右に対向する側縁部に沿って固定された一対のエレメント列（２ｕ，２ｕ）であって互いに噛合された前記一対のエレメント列（２ｕ，２ｕ）とを備えることを特徴とする飾りファスナー。
【考案の詳細な説明】
【技術分野】
【０００１】
本発明は、スライドファスナーに用いられる止具、並びにその止具を使用したスライドファスナー、及び飾りファスナーに関する。
【背景技術】
【０００２】
スライドファスナーは、前後に延長する一対のファスナーテープの左右に対向する側縁部には芯部と称される肉厚の厚い部分を備え、これら一対の芯部に一対のエレメント列を固定してある。またスライドファスナーの一つとして、一対のファスナーテープを連結する止具を一対のエレメント列に対してその延長方向に備えるものが存在する。
【０００３】
そのような従来の止具の一例として、下止め部材と称される雄部材と、ナットと称される雌部材とを備え、雄部材と雌部材との嵌合によって一対のファスナーテープを一対の芯部において上下から挟んで固定するものが存在する（特許文献１）。
【０００４】
この雄部材は、円盤形状の基部と、基部の表裏面のうち片面から突出する軸と称される挿込雄部とを備え、基部における挿込雄部側の片面（雌部材に対する対向面）には一対の芯部における表裏面のうち片面側を通す切欠き溝を備えている。より詳しく言えば、切欠き溝は基部の円形の中心部を通過するように一直線に形成されている。
【先行技術文献】
【特許文献】
【０００５】
【特許文献１】実開昭４９−１０５３０７号公報
【考案の概要】
【考案が解決しようとする課題】
【０００６】
ところで雄部材を一対のファスナーテープに対して取り付けるには、切欠き溝が一対の芯部における表裏面の片面側に嵌合するように一対のファスナーテープに対して雄部材を位置決めしなければならない。
【０００７】
しかしながら、この位置決め作業は容易とは言い難い作業であった。なぜなら、雄部材の基部の外形は円形であり、円形は、位置決めの際に通常用いられる角張った部分や、楕円形状のような回動を抑制する形状を有しない為、位置決めに不向きな形状だからである。なおスライドファスナーの一つとしては、一対の芯部を備えていないものも存在しており、このようなスライドファスナーに対しても、外形が円形の雄部材と雌部材とを含む止具を取り付けようとすれば、位置決め作業には同様のことが言える。
【０００８】
本考案は、上記実情を考慮したもので、外形が円形の雄部材と雌部材を含む止具を、一対のファスナーテープの左右に対向する側縁部に対して容易に取り付けられるようにすることを目的とする。
【課題を解決するための手段】
【０００９】
本考案は、前後に延長する一対のファスナーテープの左右に対向する側縁部に沿って固定された一対のエレメント列の延長方向において一対のファスナーテープを連結する止具を前提とする。そして本考案の止具は、一対のファスナーテープをその厚み方向である上下方向の両側から挟む雄部材と雌部材であって、外形が円形の雄部材と雌部材とを備えるものとする。雄部材は、円盤形状の雄基部と、雌部材に差し込む為に前記雄基部から同心状に突出する挿込雄部とを備えるものである。雌部材は、円盤形状の雌基部と、前記挿込雄部の先部を収容して連結する為に前記雌基部に対して同心状に配置される収容雌部とを備えるものである。そして雄基部と雌基部のうち少なくとも一方の対向面には突出する突部群を備えるものとする。この突部群は、各ファスナーテープに少なくとも接触するように突出する複数の突部を前記対向面の円周方向の全周に亘って所定角度離れて配置してある。
【００１０】
また雄部材は、挿込雄部と突部群を、同一物または別物とするものであっても良い。別物とする場合は、次のようなものが望ましい。
すなわち収容雌部は、雌基部の中心部に形成されたものであり、挿込雄部は、突部群とは別物であって、前記雄基部の中心部に形成されると共に、一対の前記芯部の間に形成される隙間を貫通した状態で前記収容雌部に連結されるものである。そして突部は、前記対向面において挿込雄部よりも半径方向外側に配置されるものである。
【００１１】
突部群を構成する突部は、各ファスナーテープに少なくとも接触するものであるので、各突部の突出長は一対のファスナーテープを窪ませるものであっても良いし、一対のファスナーテープを貫通するものであっても良い。
また挿込雄部と突部群とが同一物である場合には、この同一物が一対のファスナーテープを貫通することになり、貫通によって損傷した一対のファスナーテープはその耐久性を低下させることになる。一対のファスナーテープの耐久性をできるだけ低下しないようにするには次のようにすることが望ましい。
すなわち、止具は、左右に対向する側縁部が互いの側方の隣接部よりも肉厚の厚い芯部である一対のファスナーテープを連結するものとする。その上で挿込雄部とは別物の突部群を構成する突部は、芯部を窪ませる突出長とする。
【００１２】
突起群を構成する全数の突部は、少なくとも１つの突部が各芯部を窪ませるように配置してあれば良いが、より強固に止具を一対のファスナーテープに連結するには、次のようにすることが望ましい。
すなわち、各芯部を２か所以上で窪ませるように、前記対向面の円周方向の半周毎の範囲に２つ以上の突部を所定角度離れて配置してあることである。
【００１３】
また突部群を構成する全数の突部は、一対のファスナーテープにおける対向する左右の各側縁部に突部を少なくとも接触させることができれば、対向面の円周方向の全周に亘ってどのように配置されていても良い。しかし例えば全数の突部のうち１個以外を対向面の円周方向の全周に亘って等角度毎に離れて配置し、残り１個をその等角度とは異なる角度で離れて配置した場合には、その残りの１個の突部が対向する側縁部に対してどのように配置されるか、つまり一対のファスナーテープに対して止具がその円周方向に関してどのように配置されるかによって、一対のファスナーテープに対する止具の固定強度に影響を生じさせ易い。そのような影響をできるだけ無くすには次のようにすることが望ましい。
すなわち、複数の突部は、前記対向面の円周方向の全周に亘って等角度毎に離れて配置されていることである。
ちなみに対向面の円周方向の全周に亘って等角度毎に離れて配置されている突部の数量は、具体的な一例としては、８以上で３２以下の正数である。
【００１４】
また突部群を構成する複数の突部は、対向面の中心を中心とする一つの円周上に配置されるか否かは問わない。しかし対向面の中心を中心とする半径方向の異なる位置において各芯部を窪ませるようにして、止具から芯部を左右方向に外れ難くするには次のようにすることが望ましい。
すなわち複数の突部は、複数の同心円状に配置されていることである。
【００１５】
また雄部材と雌部材の対向面には挿込雄部、収容雌部及び突部群だけを備えるもので当ても良いが、止具を一対の芯部から外れ難くするには、次のようにすることが望ましい。
すなわち雄部材と雌部材の少なくとも一方の対向面には、その外周縁部の全周に亘って突出すると共に一対の芯部に接触する外リングを備えることである。
【００１６】
また突部群は対向面の中心を中心とする半径方向のどの位置に配置されていても良いが、挿込雄部が一対の対向する左右の側縁部の隙間でがたつかないようにして、止具を一対の芯部から外れ難くするには、次のようにすることが望ましい。
すなわち突部群は、対向面の半径方向に関して、外リングよりも挿込雄部に接近して配置されていることである。
【００１７】
そして、このような止具を用いるものとしては、次のようなスライドファスナーと、飾りファスナーとがある。
すなわちスライドファスナーは、止具と、前後に延長すると共に左右に並べた一対のファスナーテープと、一対のファスナーテープの左右に対向する側縁部に沿って固定された一対のエレメント列と、一対のエレメント列に沿って移動すると共に一対のエレメント列を噛合及び分離するスライダーとを備えるものである。
また飾りファスナーは、止具と、前後に延長すると共に左右に並べた一対のファスナーテープと、一対のファスナーテープの左右に対向する側縁部に沿って固定された一対のエレメント列であって互いに噛合された前記一対のエレメント列とを備えるものである。
【考案の効果】
【００１８】
本考案の止具によれば、雄部材と雌部材の少なくとも一方の対向面における円周方向の全周に亘って複数の突部を所定角度離れて配置してあるので、外形が円形の雄部材と雌部材を位置決めすることなしに一対のファスナーテープに連結することができる。なお左右の側縁部が雄部材と雌部材とによって挟まれ、しかも対向面から突出する突部群によって止具は強固に一対のファスナーテープに連結される。
【００１９】
また左右に対向する側縁部が互いの側方の隣接部よりも肉厚の厚い芯部である一対のファスナーテープを連結する止具によれば、各芯部を突部が窪ませるようになるので、一対のファスナーテープの耐久性の低下をできるだけ阻止することができる。
【００２０】
また対向面の円周方向の半周毎の範囲に２つ以上の突部を所定角度離れて配置してある止具によれば、各芯部を２か所以上で窪ませたときに、一対のファスナーテープにより強固に連結できる。
【００２１】
さらに複数の突部を対向面の円周方向の全周に亘って等角度毎に離れて配置してある止具によれば、一対のファスナーテープに対して止具がその円周方向に関してどのように配置されても、一対のファスナーテープに対する止具の固定強度に影響が生じ難く、所望の固定強度を得ることができる。
【００２２】
また複数の突部を複数の同心円状に配置してある止具によれば、対向面の中心を中心とする半径方向の異なる位置において各芯部を複数の突部で窪ませるようにできるので、各芯部に強固に連結できる（各芯部から止具を外れ難くできる）。
【００２３】
さらに雄部材と雌部材の少なくとも一方の対向面には、その外周縁部の全周に亘って突出すると共に一対の芯部に接触する外リングを備えるようにした止具によれば、突部と外リングによって各芯部を窪ませるようにできるので、止具から各芯部を外れ難くできる。
【００２４】
また突部群を、対向面の半径方向に関して、外リングよりも挿込雄部に接近して配置してある止具によれば、挿込雄部が一対の対向する左右の側縁部の隙間でがたつき難くなり、止具から各芯部を外れ難くできる。
【図面の簡単な説明】
【００２５】
【図１】本考案の第１実施形態の止具を適用したスライドファスナーの一例を示す平面図である。
【図２】図１のII−II線断面図である。
【図３】図２のIII−III線断面図である。
【図４】（ａ）、（ｂ）図は、第１実施形態の止具の雄部材についての突部群を示す説明図である。
【図５】（ａ）、（ｂ）図は、第１実施形態の止具の雄部材についての斜視図、一部を拡大した図を含む断面図である。
【図６】（ａ）、（ｂ）図は、第１実施形態の止具の雌部材についての斜視図、断面図である。
【図７】（ａ）、（ｂ）、（ｃ）図は、第１実施形態の止具についての組み立て手順を示す説明図である。
【図８】第１実施形態の止具に用いる雄部材の第１の変形例を示す図面であって、（ａ）図は突部の配置関係を示し、（ｂ）図は突部の形状を示す雄部材の断面図である。
【図９】第１実施形態の止具に用いる雄部材の第２の変形例を示す図面であって、（ａ）図は斜視図、(ｂ)図は断面図である。
【図１０】第１実施形態の止具に用いる雌部材の変形例を示す断面図である。
【図１１】第１実施形態の止具に用いる雌部材の別の変形例を示す断面図である。
【図１２】（ａ）、（ｂ）図は、本考案の第２実施形態の止具についての組み立て手順を示す説明図である。
【図１３】（ａ）、（ｂ）図は、本考案の第１、第２実施形態の止具についての変形例を示す斜視図、断面図である。
【図１４】本考案の第３実施形態の止具を示す断面図である。
【図１５】本考案の第１〜第３実施形態の止具に用いる雄部材の変形例を示す断面図である。
【図１６】（ａ）、（ｂ）図は、本考案の第４実施形態の止具についての組み立て手順を示す説明図である。
【図１７】本考案の止具を適用した飾りファスナーを示す平面図である。
【考案を実施するための形態】
【００２６】
本考案の第１実施形態の止具４を適用したスライドファスナー１の一例は、図１に示すように、前後に延長すると共に左右に並べる一対のファスナーストリンガー２，２と、一対のファスナーストリンガー２，２の対向する左右の側縁部に沿って前後に移動可能なスライダー３と、スライダー３の移動範囲に対する延長方向のうち一方（図では後方）に隣接する位置において一対のファスナーストリンガー２，２を連結すると共にスライダー３の移動範囲の一端を定める止具４とを備える。なおこのスライドファスナー１の一例は、スライダー３の移動範囲に対する延長方向のうち止具４とは反対側に隣接する位置において各ファスナーストリンガー２にはスライダー３の移動範囲の他端を定める止部材（図示略）を固定してあるものとする。そしてスライダー３を前後方向に移動させることによって、一対のファスナーストリンガー２，２を開閉することができる。また、スライダー３は、その移動範囲の後退限界位置に達すると、止具４に衝突し、その移動範囲の前進限界位置に達すると、一対の止部材に衝突する。以後の方向性を説明するに際して、前側とは、図１の上側であって、スライダー３が一対のファスナーストリンガー２，２を閉じる方向であって、後側とは、図１の下側であって、スライダー３が一対のファスナーストリンガー２，２を開く方向である。また、前後方向と直交し且つ一対のファスナーストリンガー２，２を並べる方向を左右方向（幅方向）、前後方向及び左右方向に直交する方向を上下方向（厚み方向）とする。左側とは、図１の左側であって、右側とは、図１の右側である。上側とは、図１の紙面に対して直交する方向、すなわち前後方向及び左右方向に直交する方向のうち手前側であって、下側とは、図１の紙面に対して直交する方向のうち奥側である。
【００２７】
一対のファスナーストリンガー２，２は、前後に延長すると共に左右に平行に並べる一対のファスナーテープ２ａ，２ａと、一対のファスナーテープ２ａ，２ａにおける対向する左右の側縁部に沿って固定された一対のエレメント列２ｕ，２ｕとを備えている。
各ファスナーテープ２ａは、前後に長い帯状であって、その肉厚の方向は上下方向となる。そして各ファスナーテープ２ａは、図２に示すように、左右の側縁部のうちエレメント列２ｕを固定する方を芯部２ｂと称し、芯部２ｂに対する側方の隣接部２ｃの肉厚に比べて芯部２ｂの肉厚を厚く且つ上方及び下方に突出するように形成してある。本例では、芯部２ｂはファスナーテープ２aと一体に形成されているが、ファスナーテープ２ｂに対して別部材を縫付などで取付けることによって形成されたものでも良い。
【００２８】
各エレメント列２ｕは、ファスナーテープ２ａの対向する側縁部に沿って前後に間隔をあけて配列された多数のエレメント２ｖによって形成される。本実施形態では多数のエレメント２ｖは、それぞれ独立しており、各エレメント２ｖは、芯部２ｂに対して固定されている。一対のファスナーストリンガー２，２を閉じる為にスライダー３を前方へ移動させると、一対のエレメント列２ｕ，２ｕのエレメント２ｖ同士が噛合し、スライダー３が止部材に衝突することによって、スライダー３の更なる前方への移動が阻止される。また一対のファスナーストリンガー２，２を開く為にスライダー３を後方へ移動させると、一対のエレメント列２ｕ，２ｕのエレメント２ｖ同士が左右に分離し、スライダー３が止具４に衝突することによって、スライダー３の更なる後方への移動が阻止される。
一対のファスナーテープ２ａ，２ａの対向する左右の側縁部の間には、一対のエレメント列２ｕ，２ｕの延長方向において、隙間Ｓが形成されている。この隙間Ｓの左右方向の寸法は、噛合状態にある一対のエレメント列２ｕ，２ｕにおける噛合部分の左右方向の寸法である。
【００２９】
スライダー３は、一対のエレメント列２ｕ，２ｕに係合すると共に前後に移動可能なスライダー胴体３ａと、スライダー胴体３ａに対して揺動可能に支持される引手３ｂとを備える。スライダー胴体３ａは、図示しないが、前後方向に貫通するエレメント通路（図示略）と、エレメント通路に連通すると共に左右に開口するテープ溝が形成され、エレメント通路には一対のエレメント列２ｕ，２ｕが通され、各テープ溝には対応する側のファスナーテープ２ａが通される。またスライダー胴体３ａにはその一部として引手取付部３ｃが設けられ、図示の例では引手取付部３ｃは、一対のエレメントの上方を案内する上翼板３ｄの上面から上方に突出するように設けられ、左右方向に貫通する貫通穴（図示略）が形成されている。そしてこの貫通穴に引手３ｂの一部を挿通することにより、引手３ｂはスライダー胴体３ａに揺動可能に支持される。
【００３０】
本考案の第１実施形態の止具４は、一対のファスナーテープ２ａ，２ａの左右に対向する側縁部を、その厚み方向である上下方向の両側から挟む雄部材５及び雌部材６を備える。ちなみにこれら雄部材５及び雌部材６は、例えば金属製である。
【００３１】
雄部材５は、図２〜図５に示すように、上方から視て外形が円形であり、円盤形状の雄基部５１と、雄基部５１の上下面である２つの円形面のうち雌部材６に対向する対向面の中心部から当該対向面に対して同心状に突出する挿込雄部５２と、雄基部５１の対向面における挿込雄部５２よりも外周側から複数の同心円状に突出する突部群７と、雄基部５１の対向面における外周縁部からその全周に亘って突出する外リング８とを備える。
「同心状」とは、中心を同じくする状態であり、ここでは、挿込雄部５２の中心と雄基部５１の対向面の中心とを同じくする状態を意味する。また「同心円状」とは、半径の異なる２つ以上の円が互いの中心を共有する状態で配置されている状態であり、ここでは突部群７を構成する後述の多数の突部７１が２つ以上の円周上に配置されている状態を意味する。
【００３２】
雄基部５１の直径は、一対の芯部２ｂ，２ｂの間に形成される隙間Ｓの左右方向の寸法と、その隙間Ｓの両側に配置される２つの芯部２ｂの横幅寸法との合計値よりも大きいものとしてある。
【００３３】
挿込雄部５２は、突部群７とは別物である。また挿込雄部５２は、円柱状である。より詳しく言えば、挿込雄部５２は、先端部に向かって徐々に細くなっており、その突出方向に沿ってテーパの傾斜角度が変化し、雄基部５１に連続している部分から先部の後端に向かって緩やかな傾斜角度で徐々に細くなる円柱形の部分と、先部の後端から先端部に向かって急激な傾斜角度で徐々に細くなる円錐形の部分を備えている。ちなみに挿込雄部５２は、一対のファスナーテープ２ａ，２ａの対向する左右の側縁部の間に形成される隙間Ｓに対して配置される部分を備えており、その配置される部分の直径は、隙間Ｓの左右方向の寸法以下に形成されていることが好ましい。
【００３４】
各突部７１は、同じ形状をしている。また各突部７１は、その先端を水平面とし、先端の外周に向かって徐々に細くなる円柱状に形成されている。また突部７１は、雄部材５と雌部材６とで各ファスナーテープ２ａを挟んだ状態において、雄基部５１から突出する長さ即ち突出長Ｌ１がファスナーテープ２ａの芯部２ｂを窪ませる長さ寸法となっている。
【００３５】
突部群７は、図４に示すように、雄基部５１の対向面に二重の同心円状に配置される第１、第２突部群７ａ、７ｂから構成されている。第１突部群７ａは、二重の同心円状のうち内周側に配置され、第２突部群７ｂは、二重の同心円状のうち外周側に配置されるものである。しかも第１突部群７ａは、対向面の半径方向に関して、外リング８の方よりも挿込雄部５２の方に接近して配置されている。
第１、第２突部群７ａ、７ｂは、それぞれ８個の突部７１により構成されている。また第１突部群７ａは、雄基部５１の中心を中心とする１つの円周上に等角度として４５度毎に突部７１を配置したものである。第２突部群７ｂは、雄基部５１の中心を中心とする別の円周上（第１突部群７ａが配置される円周よりも直径が大きな円周上）に４５度毎に突部７１を配置したものである。従って第１、第２突部群７ａ、７ｂを構成する突部７１は、等角度として４５度毎に各々の円周上に配置されている。そして第１、第２突部群７ａ、７ｂの各々は、円周全周のうち半周毎に２個以上（４個）の突部７１が配置されたものである。また第１突部群７ａを構成する全数の突部７１は、各突部７１の中心が１つの円周上であって、芯部２ｂの左右方向における中間に相当する位置に配置され、第２突部群７ｂを構成する全数の突部７１は、各突部７１の中心が別の円周上であって、芯部２ｂの左右側端のうち隙間Ｓから遠いほうの側端に配置されている。なお第１突部群７ａを構成する全数の突部７１の先端面は円形面であるので、このような円形面を結んで形成される軌跡である円周は、半径方向に幅のあるものとなる。また第２突部群７ｂを構成する全数の突部７１の先端面も同様に円形面であるので、このような円形面を結んで形成される軌跡である円周は、半径方向に幅のあるものとなる。そして半径方向に幅のある２つの円周は、半径方向に異なる位置に重なり合うことなく配置されている。
また第１突部群７ａを構成する突部７１に対して、雄基部５１の中心を中心とする円周方向に４５度の１／２である２２．５度移動した位置に、第２突部群７ｂを構成する突部７１は配置されている。従って第１、第２突部群７ａ、７ｂから構成される突部群７は、雄基部５１の中心を中心とする円周方向に２２．５度毎に突部７１を配置してある。つまり突部群７は、正数ｍ＝１６により、円周角度の値である３６０を除算した値の２２．５度毎に、突部７１を配置したものである。
なお第１突部群７ａを構成する各突部７１の先端と挿込雄部５２の側面との距離（雄基部５１の中心から半径方向に離れる距離）Ｗ２は、芯部２ｂの幅Ｗ１以下、つまりＷ２≦Ｗ１の関係となるように設計されることが望ましい。なおここでの突部７１の先端は、水平な円形面となっており、この円形面の中心から円柱状の挿込雄部５２の中心へ向かって水平線を引いた場合に、この水平線が、当該円形面の外形を構成する円に交差した点と、挿込雄部５２の外周面に交差した点とを結んだ２点間の距離が、ここでの距離Ｗ２となる。
【００３６】
外リング８は、雄基部５１の対向面から突部群７の各突部７１よりも突出しており、その先端面を水平面である帯状の円弧面としてある。また外リング８は、雄部材５と雌部材６とで各ファスナーテープ２ａを挟んだ状態において、雄基部５１から突出する長さ即ち突出長Ｌ２が、ファスナーテープ２ａの芯部２ｂを窪ませる長さ寸法であって、挿込雄部５２の突出長Ｌ１よりも長くなっている。従って外リング８は芯部２ｂに面する部分においては、芯部２ｂを窪ませるが、芯部２ｂに対する隣接部２ｃに面する部分では、当該隣接部２ｃに近接するものとなる。
【００３７】
雌部材６は、図２、図３、図６に示すように、下方から視て外形が円形であり、円盤形状の雌基部６１と、雌基部６１の２つの円形面のうち雄部材５に対向する対向面に対して同心状に形成された収容雌部６２と、雌基部６１の対向面から雌基部６１の外周側において複数の同心円状に突出する複数の突部７１より構成される突部群７と、雌基部６１の対向面からその外周縁部の全周に亘って突出する外リング８とを備える。
収容雌部６２は、雌基部６１の中心部に形成された穴状（より詳しく言えば貫通穴）であり、この貫通穴は対向面とは反対側の面から対向面側に向かって徐々に小径となるテーパが付いた円筒面に形成されている。なお雌部材６の突部群７の構成は、雄部材５の突部群７の構成と同じであり、雌部材６の外リング８の構成は、雄部材５の外リング８の構成と同じであるので、その詳細な構成についての説明は省略する。
【００３８】
上記した第１実施形態の止具４は、以下（１）〜（３）に示す手順で組み立てられる。
（１）一対のエレメント列２ｕ，２ｕを噛合させて一対のファスナーテープ２ａ，２ａを閉じた状態にすると、図７（ａ）に示すように、一対の芯部２ｂ，２ｂの間に隙間Ｓが形成される。この隙間Ｓに挿込雄部５２を通すように一対のファスナーテープ２ａ，２ａの上方には雄部材５を配置し、挿込雄部５２に収容雌部６２が対向するようにして一対のファスナーテープ２ａ，２ａの下方には雌部材６を配置する。
（２）そして図７（ｂ）に示すように雄部材５を一対のファスナーテープ２ａ，２ａの上面に、雌部材６を一対のファスナーテープ２ａ，２ａの下面にそれぞれ押し付ける。
（３）最後に図７（ｃ）に示すように収容雌部６２から突出する挿込雄部５２の先部をかしめて変形させ、収容雌部６２である貫通穴に、挿込雄部５２の変形させた先部を嵌合させる。挿込雄部５２の変形させた先部は貫通穴の形状に一致するものとなり、貫通穴が対向面側に向かって小径となるテーパが付いた円筒面であるから、挿込雄部５２は収容雌部６２から抜け外れないものとなり、雄部材５と雌部材６は連結された状態になる。
【００３９】
この連結された状態の止具４は、雄部材５と雌部材６とによって各芯部２ｂの上下を突部７１と外リング８によって挟んでいる。外リング８に関しては、雄部材５及び雌部材６の各外リング８は図３に示すように各芯部２ｂを前後の２か所で押し潰して窪ませている。各芯部２ｂは、突部７１の突出長Ｌ１よりも突出長Ｌ２が長い２つの外リング８，８によって、上下から挟まれている。また突部７１に関しては、図４に示すように、雄部材５及び雌部材６の各突部群７を構成する全数の突部７１のうち複数の突部７１が各芯部２ｂを上面及び下面から押し潰して窪ませている。
より詳しく言えば雄部材５及び雌部材６のいずれについても、第１、第２突部群７ａ、７ｂは、各々を構成する全数の突部７１のうち複数の突部７１が各芯部２ｂを上面及び下面から窪ませている。ちなみに図４では雄部材５の第１突部群７ａを構成する８つの突部７１のうち２個の突部７１が一対の芯部２ｂ，２ｂの間の隙間Ｓに配置され、残りの６個のうち３個ずつの突部７１が一方及び他方の芯部２ｂを窪ませるように配置されているが、雄部材５の円周方向に関する配置によっては、隙間Ｓに第１突部群７ａを構成する８つの突部７１のうち４個の突部７１が隙間Ｓに配置され、残りの４個のうち２個ずつの突部７１が芯部２ｂを窪ませるように配置されることもある。
【００４０】
本考案の第１実施形態の止具４は図１〜図７示す例では、対向面を基準として、突部７１の突出長Ｌ１を外リング８の突出長Ｌ２よりも短くしているが、図８に示すように突部７１の突出長Ｌ１と外リング８の突出長Ｌ２を同じにしても良い。また本考案の第１実施形態の止具４は図１〜図７示す例では、突部７１の先端を水平面としていたが、図８に示すように突部７１の先端を鋭利な形状、例えば角錐形状としていても良い。この場合、突部の先端が１点となるので、突部７１の先端と挿込雄部５２の側面との距離Ｗ２とは、この１点と挿込雄部５２の中心を結んだ水平な直線上における、当該１点と挿込雄部５２の外周面との距離Ｗ２である。そしてこの距離Ｗ２が、前述した芯部２ｂの幅Ｗ１以下の関係となるように形成されることが望ましい。
【００４１】
本考案の第１実施形態の止具４は、雌部材６が突部群７を備える態様であるので、このような態様の場合には雄部材５は、必ずしも突部群７を有するものでなくても良く、少なくとも雄基部５１と挿込雄部５２とを備えていれば良い。例えば図９示すように、雄部材５は、雄基部５１と挿込雄部５２と外リング８とを備えるものであっても良い。
【００４２】
本考案の第１実施形態の止具４は図１〜図７に示す例では、雄部材５及び雌部材６の各対向面に突部群７を備えているが、雄部材５の対向面に突部群７を備えていれば、雌部材６（雌基部６１）の対向面については、図１０に示すように突部群７及び外リング８の双方を備えていない水平面とするものであっても良いし、図１１に示すように雌基部６１の対向面に外リング８のみを備えるものであっても良い。
【００４３】
本考案の第２実施形態の止具４は、図１２に示すように雌部材６の収容雌部６２を第１実施形態の止具４に用いる雌部材６の収容雌部６２と相違させている。
雌部材６は、円い輪形の円盤状の雌基部６１と、雌部材６の２つの円い輪形面のうち対向面の内周側から雄部材５から離隔する方へ突出する底のある円筒状の収容雌部６２とを備えるものである。より詳しく言えば、収容雌部６２は、円筒状であると共にその一端部を雌基部６１の内周側に連続させる胴部６２ａと、胴部６２ａの他端部を塞ぐ円形の底部６２ｅとを備えている。胴部６２ａは、その内周面が雄部材５から離隔するにつれて大径となるテーパが付いた円筒面となっているものである。ちなみに胴部６２ａの一端部は、半径方向の肉厚を二重としたものであり、半径方向における外壁部６２ｂと内壁部６２ｃとを備えており、外壁部６２ｂと内壁部６２ｃとの連続部分が雌基部６１よりも雄基部５１側に突出する。外壁部６２ｂの先端は、雌基部６１の内周側に連続している。但し、胴部６２ａの一端部が雄部材５側に突出する突出長Ｌ３は、雌基部６１の肉厚寸法以下である。
【００４４】
上記した第２実施形態の止具４は以下（１）、（２）の手順によって一対のファスナーストリンガー２，２に対し取り付けられる。
（１）まず図１２（ａ）に示すように、一対の芯部２ｂ，２ｂの間に形成される隙間Ｓに挿込雄部５２を通すように一対のファスナーテープ２ａ，２ａの下方には雄部材５を配置し、挿込雄部５２の上方に収容雌部６２が位置するようにして一対のファスナーテープ２ａ，２ａの上方には雌部材６を配置する。
（２）次に図１２（ｂ）に示すように、雄部材５を一対のファスナーテープ２ａ，２ａの下面に、雌部材６を一対のファスナーテープ２ａ，２ａの上面にそれぞれ押し付けながら、雌部材６の収容雌部６２の底部６２ｅに雄部材５の挿込雄部５２の先部を押し付けて変形させ、収容雌部６２に挿込雄部５２をかしめる。
挿込雄部５２の変形させた先部は胴部６２ａの内周面の形状に一致するものとなり、胴部６２ａの内周面が雄部材５から離隔するにつれて大径となるテーパが付いた円筒面であるから、挿込雄部５２は収容雌部６２から抜け外れないものとなり、雄部材５と雌部材６は連結された状態になる。また、収容雌部６２が上面側に配置されていることから、スライドファスナー１の外観の一部を構成する止具４の外観は、雌基部６１に対して収容雌部６２が突出するものとなる。
【００４５】
本考案の第１、第２実施形態の止具４に用いる雄部材５は、図１〜図７に示すように外リング８を備えるものであったが、図１３に示すように外リング８を備えないもの、即ち雄基部５１と挿込雄部５２と突部群７とを備えるものであっても良い。ちなみに図１３の雄部材５の突部群７は、８個の突部より構成され、１つの円の円周方向に等角度（４５度）毎に突部７１を配置してある。
【００４６】
本考案の第３実施形態の止具４は、図１４に示すように、雄部材５の挿込雄部５２と雌部材６の収容雌部６２との連結構造について、第１実施形態の止具４と相違する。
【００４７】
挿込雄部５２は、その先部をオネジとしてある。収容雌部６２は雌基部６１の中心部に貫通するメネジである。これらオネジとメネジとが螺合することによって、雄部材５と雌部材６とが連結され、雄部材５と雌部材６との間には一対の芯部２ｂ，２ｂが挟まれる。
【００４８】
本考案の第１〜第３実施形態の止具４に用いる雄部材５は、図１〜図７で示したような突部７１の突出長Ｌ１を外リング８の突出長Ｌ２よりも短くしたものや、図８で示したような突部７１の突出長Ｌ１を外リング８の突出長Ｌ２と同じにしたものに限らず、図１５に示すように、突部７１の突出長Ｌ１を外リング８の突出長Ｌ２よりも長くしたものであってもよい。
【００４９】
本考案の第４実施形態の止具４は、図１６に示すように、雄部材５が挿込雄部５２と突部群７とを同一物とし、同一物である挿込雄部５２と突部群７（以下、この実施形態では「突部群」と称する。）に対応させて雌部材６の雌基部６１及び収容雌部６２を形成した点、雄部材５と雌部材６の他に雌部材６に着脱可能な装飾部材９を備える点において、第１実施形態の止具４と相違する。そしてこの第４実施形態の止具４を適用するスライドファスナー１が芯部２ｂのないもの、即ち一対のファスナーテープ２ａ，２ａにおける上下の厚みが幅方向において一定寸法としたことが、第１実施形態の止具４を適用したスライドファナスーと相違する。
【００５０】
より詳しく言えば、突部群７は、円盤状の雄部材５に対して同心状に形成されている。また突部群７は、５個の突部７１により構成され、雄基部５１の対向面における中心を中心とする１つの円周上に等角度として７２度毎に突部７１を配置したものである。従ってこの場合も全数の突部７１は、雄部材５に対して同心円状に配置されていることになる。また全数の突部７１をその集合体である１つの突部群７として把握すれば、突部群７は雄部材５に対して同心状に形成されていることになる。
各突部７１は、三角形の板、より詳しく言えば二等辺三角形の板である。二等辺三角形であるため各突部７１は、２つの等辺と１つの底辺を含んでいる。そして底辺の両端に位置する２つの頂点が雄基部５１の対向面における中心を中心とする１つの円周上に配置されている。
各突部７１の突出長Ｌ１は、ファスナーテープ２ａの厚みよりも十分に長く、それゆえ雄部材５と雌部材６とでファスナーテープ２ａを挟んだ場合には、突部７１はファスナーテープ２ａを貫通する。
【００５１】
雌部材６は、雄部材５の突部群７よりも半径が短い雌基部６１と、雌基部６１に対してその半径方向外側に同心状（より詳しく言えば同心円状）に突出すると共に雄基部５１を向く面側を窪ませた収容雌部６２と、雌基部６１の対向面とは反対面側（上面側）に突出すると共に装飾部材９を取り付ける為の被取付部６３とを備えるものである。なお雌部材６の外形は、収容雌部６２の外形である円形となっている。
【００５２】
収容雌部６２は、穴状（より詳しく言えば円形の環状溝）であって、環状溝は、その入口側となる雄部材５側の溝幅（半径方向の溝幅寸法）を、その奥側となる雄部材５から離れた側の溝幅よりも狭く形成し、しかも入口側の溝幅に対して奥側の溝幅が半径方向外側に広くなるようにしたものである。より具体的には、雌基部６１の外周縁部の全周から雌基部６１の対向面とは反対面側（上方）に突出する環状の離隔部６２ｈと、離隔部６２ｈの先端部の全周から半径方向外側に突出するフランジ部６２ｉと、フランジ部６２ｉの半径方向外周の全周から雌基部６１側へ向かう接近部６２ｍと、接近部６２ｍの先端の全周から半径方向内側であって離隔部６２ｈの外周面側へ向かう内向部６２ｎを備えている。また雄基部５１の外周面及び離隔部６２ｈの半径方向における外周面は、雌部材６の対向面から離れるにつれて半径方向の寸法が徐々に広がるテーパが付いた円筒面となっている。
【００５３】
被取付部６３は、収容雌部６２の離隔部６２ｈと、離隔部６２ｈの先端（上端）から上方に突出する円筒状の周壁部６３ａと、周壁部６３ａの先端部（上端部）から半径方向内側に突出する環状の内向膨大部６３ｂとを備えている。
【００５４】
装飾部材９は、雌部材６の上面を覆う装飾本体部９１と、装飾本体部９１のうち雌部材６を向く面からから突出すると共に被取付部６３に取り付ける為の取付部９２とを備えている。取付部９２は、周壁部６３ａの内側に収容されるように周壁部６３ａよりも半径が小さな円筒部９２ａと、円筒部９２ａの先端部からその半径方向全周に亘って外側に突出する環状の外向膨大部９２ｂとを備えている。ちなみに装飾部材９は、金属製又は軟質な合成樹脂製（例えばシリコン製又はウレタン製）である。装飾本体部９１は、対向面とは反対面側に文字、模様などを付しても良い。
【００５５】
前記した第４実施形態の止具４は、以下（１）、（２）の手順によって一対のファスナーストリンガー２，２に対し取り付けられる。
（１）まず図１６（ａ）に示すように、一対のファスナーテープ２ａ，２ａの対向する左右の側縁部に対して下方に雄部材５を配置し、左右の側縁部に雄部材５の突部群７を構成する突部７１を突き刺す。そして同心円状に配置された全数の突部７１が環状溝である収容雌部６２に嵌るように、一対のファスナーテープ２ａ，２ａの上側に雌部材６を配置する。
（２）次に図１６（ｂ）に示すように、雄部材５を一対のファスナーテープ２ａ，２ａの下面に、雌部材６を一対のファスナーテープ２ａ，２ａの上面にそれぞれ押し付けると、雄部材５と雌部材６の互いの中心が少々ずれていても、突部群７を構成する幾つかの突部７１が収容雌部６２のテーパがついた円筒面に衝突して、雄部材５と雌部材６の互いの中心が一致する状態になり、その後、収容雌部６２のフランジ部６２ｉに突部７１の先部が衝突して変形し、突部７１の先部が半径方向外側に向かって押し出されていきながら、収容雌部６２に各突部７１がかしめられる。
（３）最後に雌部材６の被取付部６３の内側に装飾部材９の取付部９２を挿し込むと、被取付部６３の内向膨大部６３ｂの下側に取付部９２の外向膨大部９２ｂがスナップ式に嵌り込んで、雌部材６に装飾部材９が取り付けられる。
【００５６】
本考案の止具４は、図１に示したようなスライドファスナー１に限らず、図１７に示すような飾りファスナー１ａに使用することもできる。飾りファスナー１ａは、スライダー３が無いことと、一対のエレメント列２ｕ，２ｕが噛合していることが、スライドファスナー１と相違する。より詳しく言えば、飾りファスナー１ａは、噛合している一対のエレメント列２ｕ，２ｕの延長方向両側であって当該一対のエレメント列２ｕ，２ｕに隣接する位置において、各止具４がそれぞれ一対の芯部２ｂ、２ｂに固定されている。なおこの飾りファスナー１ａには、本考案の第２実施形態の止具４が使用されている。
【００５７】
本考案は上記実施形態に限定されるものではなく、その趣旨を逸脱しない範囲において適宜変更可能である。例えば、第１実施形態の止具４における雄部材５は、突部群７が２つの同心円状に突部７１を配置したものであったが、これに限らず本発明は３つ以上の同心円状に突部７１を配置するものであっても良い。また第１実施形態の止具４における雄部材５は、雄基部５１の中心を中心とする円周方向に等角度（２２．５度）毎に突部７１を配置したものであったが、これに限らず、本発明は、当該円周方向に不等角度に突部７１を配置したものであっても良く、より具体的に言えば、例えば１つや２つ或は全数の突部を異なる角度に配置するものであっても良い。つまり、当該円周方向の全周に亘って突部７１を所定角度離れて配置してあればよい。但し、この場合、４５度の範囲に少なくとも１つの突部７１が配置されていることが望ましい。従って突部群７を構成する突部７１の数量の下限値は、８個が望ましい。
また当該円周方向の全周に亘って突部７１を配置してあれば、突部群７を構成する突部７１の数量は問わず、例えば第１実施形態で用いられた数量１６個よりも多くても良い。かといって突部群７を構成する数量が多すぎると、製造が困難になるため、第１実施形態で用いられた数量の２倍程度（３２個）が、突部群７を構成する数量の上限値としては望ましい。この場合、突部群７を３２個の突部７１より構成すると共に、当該円周方向に１１．２５度毎に突部７１を配置したものが望ましい。従って突部群７を構成する全数の突部７１の数量は、８個以上で３２個以下の正数であることが望ましい。
なおここでは雄部材５の突部群７に対して数量や配置の仕方を述べたが、雌部材６の突部群７に対しても同様の数量や配置であっても良い。
【００５８】
また前記した各実施形態の止具４は、突部群７を構成する全数の突起７１が円周方向全周に亘って規則的に（例えば同一円周上に、或は同心円状に）配置されていたが、これに限らず、本発明は、突部群７を構成する全数の突起７１のうち一部のものが規則的に配置されていれば、他の一部のものが不規則に配置されていても良い。従って突部群７を構成する複数の突部７１が規則的に配置されているとは、突部群７を構成する全数の突部７１が規則的に配置されている場合と、突部群７を構成する全数の突部のうちの一部が規則的に配置され、他の一部が不規則的に配置されている場合とを含む。
【符号の説明】
【００５９】
１    スライドファスナー
１ａ  飾りファスナー
２    ファスナーストリンガー
２ａ  ファスナーテープ
２ｂ  芯部
Ｗ１  芯部の幅
２ｃ  隣接部
Ｓ    隙間
２ｕ  エレメント列
２ｖ  エレメント
３    スライダー
３ａ  スライダー胴体
３ｂ  引手
３ｃ  引手取付部
３ｄ  上翼板
４    止具
５    雄部材
５１  雄基部
５２  挿込雄部
６    雌部材
６１  雌基部
６２  収容雌部
６２ａ胴部
Ｌ３  突出長
６２ｂ外壁部
６２ｃ内壁部
６２ｅ底部
６２ｈ離隔部
６２ｉフランジ部
６２ｍ接近部
６２ｎ内向部
６３  被取付部
６３ａ周壁部
６３ｂ内向膨大部
７    突部群
７ａ  第１突部群
７ｂ  第２突部群
７１  突部
Ｌ１  突出長
Ｗ２  突部の先端と挿込雄部の側面との距離
８    外リング
Ｌ２  突出長
９    装飾部材
９１  装飾本体部
９２  取付部
９２ａ円筒部
９２ｂ外向膨大部
【図１】
0003189659.tif 000003
【図２】
0003189659.tif 000004
【図３】
0003189659.tif 000005
【図４】
0003189659.tif 000006
【図５】
0003189659.tif 000007
【図６】
0003189659.tif 000008
【図７】
0003189659.tif 000009
【図８】
0003189659.tif 000010
【図９】
0003189659.tif 000011
【図１０】
0003189659.tif 000012
【図１１】
0003189659.tif 000013
【図１２】
0003189659.tif 000014
【図１３】
0003189659.tif 000015
【図１４】
0003189659.tif 000016
【図１５】
0003189659.tif 000017
【図１６】
0003189659.tif 000018
【図１７】
0003189659.tif 000019
【手続補正書】
【提出日】平成26年1月27日(2014.1.27)
【手続補正１】
【補正対象書類名】実用新案登録請求の範囲
【補正対象項目名】全文
【補正方法】変更
【補正の内容】
【実用新案登録請求の範囲】
【請求項１】
前後に延長する一対のファスナーテープ（２ａ，２ａ）の左右に対向する側縁部に沿って固定された一対のエレメント列（２ｕ，２ｕ）の延長方向において前記一対のファスナーテープ（２ａ，２ａ）を連結する止具（４）であって、
前記一対のファスナーテープ（２ａ，２ａ）の左右に対向する側縁部をその厚み方向である上下方向の両側から挟む雄部材（５）と雌部材（６）であって外形が円形の前記雄部材（５）と前記雌部材（６）とを備え、
前記雄部材（５）は、円盤形状の雄基部（５１）と、前記雌部材（６）に差し込む為に前記雄基部（５１）から同心状に突出する挿込雄部（５２）とを備え、
前記雌部材（６）は、円盤形状の雌基部（６１）と、前記挿込雄部（５２）の少なくとも一部を収容して連結する為に前記雌基部（６１）に対して同心状に形成される収容雌部（６２）とを備え、
前記雄基部（５１）と前記雌基部（６１）のうち少なくとも一方の対向面には突出する突部群（７）を備え、
前記突部群（７）は、前記各ファスナーテープ（２ａ）に少なくとも接触するように突出する複数の突部（７１）を前記対向面の円周方向の全周に亘って所定角度離れて配置してあることを特徴とする止具。
【請求項２】
前記収容雌部（６２）は、前記雌基部（６１）の中心部に形成されたものであり、
前記挿込雄部（５２）は、前記突部群（７）とは別物であって、前記雄基部（５１）の中心部に形成されると共に、一対の前記ファスナーテープ（２ａ，２ａ）の左右に対向する側縁部の間に形成される隙間（Ｓ）を貫通した状態で前記収容雌部（６２）に連結され、
前記突部（７１）は、前記対向面において前記挿込雄部（５２）よりも半径方向外側に配置されるものであることを特徴とする請求項１記載の止具。
【請求項３】
左右に対向する側縁部が互いの側方の隣接部（２ｃ,２ｃ）よりも肉厚の厚い芯部（２ｂ，２ｂ）である前記一対のファスナーテープ（２ａ，２ａ）を連結する前記止具（４）であって、
前記突部（７１）は、前記芯部（２ｂ）を窪ませる突出長（Ｌ１）であることを特徴とする請求項２記載の止具。
【請求項４】
前記各芯部（２ｂ，２ｂ）を２か所以上で窪ませるように、前記対向面の円周方向の半周毎の範囲に２つ以上の前記突部（７１）を所定角度離れて配置してあることを特徴とする請求項３記載の止具。
【請求項５】
複数の前記突部（７１）は、前記対向面の円周方向の全周に亘って等角度毎に離れて配置されていることを特徴とする請求項３又は４記載の止具。
【請求項６】
前記対向面の円周方向の全周に亘って等角度毎に離れて配置されている前記突部（７１）の数量は、８以上で３２以下の正数であることを特徴とする請求項５記載の止具。
【請求項７】
複数の前記突部（７１）は、複数の同心円状に配置されていることを特徴とする請求項３、４、５又は６記載の止具。
【請求項８】
前記雄部材（５）と前記雌部材（６）の少なくとも一方の対向面には、その外周縁部の全周に亘って突出すると共に前記一対の芯部（２ｂ，２ｂ）に接触する外リング（８）を備えることを特徴とする請求項３、４、５、６又は７記載の止具。
【請求項９】
前記突部群（７）は、前記対向面の半径方向に関して、前記外リング（８）よりも前記挿込雄部（５２）に接近して配置されていることを特徴とする請求項８記載の止具。
【請求項１０】
請求項１〜９のうち何れか１項に記載の止具（４）と、
前後に延長すると共に左右に並べた一対のファスナーテープ（２ａ，２ａ）と、
前記一対のファスナーテープ（２ａ，２ａ）の左右に対向する側縁部に沿って固定された一対のエレメント列（２ｕ，２ｕ）と、
前記一対のエレメント列（２ｕ，２ｕ）に沿って移動すると共に前記一対のエレメント列（２ｕ，２ｕ）を噛合及び分離するスライダー（３）とを備えることを特徴とするスライドファスナー。
【請求項１１】
請求項１〜９のうち何れか１項に記載の止具（４）と、
前後に延長すると共に左右に並べた一対のファスナーテープ（２ａ，２ａ）と、
前記一対のファスナーテープ（２ａ，２ａ）の左右に対向する側縁部に沿って固定された一対のエレメント列（２ｕ，２ｕ）であって互いに噛合された前記一対のエレメント列（２ｕ，２ｕ）とを備えることを特徴とする飾りファスナー。
【手続補正２】
【補正対象書類名】明細書
【補正対象項目名】００１０
【補正方法】変更
【補正の内容】
【００１０】
また雄部材は、挿込雄部と突部群を、同一物または別物とするものであっても良い。別物とする場合は、次のようなものが望ましい。
すなわち収容雌部は、雌基部の中心部に形成されたものであり、挿込雄部は、突部群とは別物であって、前記雄基部の中心部に形成されると共に、一対の前記ファスナーテープの左右に対向する側縁部の間に形成される隙間を貫通した状態で前記収容雌部に連結されるものである。そして突部は、前記対向面において挿込雄部よりも半径方向外側に配置されるものである。